(57)【特許請求の範囲】
【請求項１】
バーナおよび熱交換器を有する給湯器と、該給湯器を遠隔操作すると共に表示部を有しテレビドアホンの親機となる台所リモコンならびに風呂リモコンと、画像撮影機を有するテレビドアホンの玄関子機と、前記画像撮影機によって撮影された画像データを録画する録画手段と、この録画手段により録画した画像データを再生する再生手段と、を備えている、画像撮影機能付給湯装置であって、
前記給湯器には、前記台所リモコンおよび前記風呂リモコンが電源配線コードを介して接続されていることにより、前記給湯器から前記台所リモコンおよび風呂リモコンへの電力供給、ならびにそれら両リモコンと前記給湯器との間における給湯情報の伝送が可能とされ、
前記給湯器、前記台所リモコン、および前記風呂リモコンの三者のそれぞれには、前記玄関子機と電気配線コードを用いて配線接続可能な接続部が設けられ、
前記玄関子機が前記三者のいずれの接続部に配線接続された場合であっても、前記玄関子機への電力供給、ならびに前記両リモコンのそれぞれと前記玄関子機との間における音声・画像情報の伝送が可能な構成とされていることを特徴とする画像撮影機能付給湯装置。
【請求項２】
録画手段は玄関子機の操作後一定時間のみ作動することを特徴とする請求項１に記載の画像撮影機能付給湯装置。
【請求項３】
画像データの再生を台所リモコンで行うことを特徴とする請求項１に記載の画像撮影機能付給湯装置。
【発明の詳細な説明】
【０００１】
【発明の属する技術分野】
本発明はガス、オイル又は電気を熱源とし、遠隔位置から給湯等の操作を行う給湯器、風呂加熱機能付き給湯器、温水暖房機能付給湯器などにテレビドアホン等の画像撮影機能を付加した画像撮影機能付給湯装置に関するものである。
【０００２】
【従来の技術】
従来、この種給湯装置においては、給湯器を屋外に設置しこの給湯器を屋内の台所、風呂場等の遠隔位置に設けた台所リモコン、風呂リモコンから遠隔制御する給湯装置は知られている。一方、屋内外において来客等とのコミュニケーションを図るため屋内である台所にテレビドアホンの親機を設けると共に玄関等の屋外にはいわゆるテレビドアホンの子機を設けることも知られている。
【０００３】
【発明が解決しようとする課題】
しかしながら、給湯器のリモコンと、テレビドアホンとを別個に設けると台所の壁面が狭くなり美観上好ましくない。また留守中に来客があった場合に備えてテレビドアホンによる撮影画像を録画し、再生する必要がある。
【０００４】
本発明は上記問題に鑑み、給湯器制御用のリモコンと画像撮影監視用のテレビドアホンとの一体化を図ることにより、上記の問題の解決を図った画像撮影機能付給湯装置を提供することを課題とする。
【０００５】
【課題を解決するための手段】
上記課題を解決するために、本発明の画像撮影機能付給湯装置は、バーナおよび熱交換器を有する給湯器と、該給湯器を遠隔操作すると共に表示部を有しテレビドアホンの親機となる台所リモコンならびに風呂リモコンと、画像撮影機を有するテレビドアホンの玄関子機と、前記画像撮影機によって撮影された画像データを録画する録画手段と、この録画手段により録画した画像データを再生する再生手段と、を備えている、画像撮影機能付給湯装置であって、前記給湯器には、前記台所リモコンおよび前記風呂リモコンが電源配線コードを介して接続されていることにより、前記給湯器から前記台所リモコンおよび風呂リモコンへの電力供給、ならびにそれら両リモコンと前記給湯器との間における給湯情報の伝送が可能とされ、前記給湯器、前記台所リモコン、および前記風呂リモコンの三者のそれぞれには、前記玄関子機と電気配線コードを用いて配線接続可能な接続部が設けられ、前記玄関子機が前記三者のいずれの接続部に配線接続された場合であっても、前記玄関子機への電力供給、ならびに前記両リモコンのそれぞれと前記玄関子機との間における音声・画像情報の伝送が可能な構成とされていることを第１の特徴としている。また本発明の画像撮影機能付給湯装置は、請求項１に記載のものに加えて録画手段は玄関子機の操作後一定時間のみ作動することを第２の特徴としている。また本発明の画像撮影機能付給湯装置は、請求項１に記載のものに加えて画像データの再生を台所リモコンで行うことを第３の特徴としている。
【０００６】
上記第１の特徴によれば、美観上も優美となるのみならず電気配線工事の省施工化を図ることができる。
上記第２の特徴によれば、玄関画像の録画、再生時間を短縮して省電力化を図ることができる。
上記第３の特徴によれば、台所において給湯操作を行う都度に画像の再生が行え利便性の向上を図ることができる。
【０００７】
【発明の実施の形態】
以下、本発明の実施の形態を図面を参照しながら説明する。図１は本発明  の一実施形態を示す画像撮影機能付給湯装置の全体構成図である。図２は本  発明の一実施形態を示すフローチャートである。
【０００８】
図１において、１０は内部にガス、石油等を燃料とするバーナ、熱交換器、送風ファン等を有する給湯器、２０は屋内である台所（台所の近傍を含む）に設置し給湯器の湯温等を遠隔操作する台所リモコンであってテレビドアホンの親機としての機能を有し画像を表示する表示部、マイクおよびスピーカを一体的に内蔵してある。３０は風呂場に設置し給湯器の湯温、浴槽の水位等を遠隔操作する風呂リモコンである。４０は門柱・玄関先に設置したテレビドアホンの玄関子機であり、画像を取り込むカメラ、マイクおよびスピーカを内蔵している。７０はテレビ受信用のアンテナ、７１はアンテナから台所リモコン２０に接続するテレビ受信ケーブル線、７２はアンテナから風呂リモコン３０に接続したテレビ受信ケーブル線である。
【０００９】
前記台所リモコン２０および風呂リモコン３０は、電気配線コード５０、５１により給湯器１０に接続され、給湯器１０から各リモコンに電源が供給されており、給湯器１０を制御すると共にマイクおよびスピーカを内蔵してあり、それぞれインターホンとして通話ができるようになっている。４１は玄関子機４０に設けた通話用の押しボタン、４２は外来者を撮影用の例えばＣＣＤカメラ等の画像撮影機である。カメラ４２によって取り込まれた画像は玄関子機４０あるいは台所リモコン２０に設けたＤＲＡＭ等の録画手段により画像データとして録画される。
【００１０】
また、２１は台所リモコン２０に設けられ給湯器１０を制御するための給湯用操作部であって、電源の入切スイッチ、給湯温度の調節用のスイッチ、自動給湯用のスイッチ等からなる。台所リモコン２０には、給湯用操作部２１の他に玄関子機４０のカメラ４２によって撮影された玄関画像を表示する表示部２２、玄関子機４０の電気配線コード６１を接続するための端子等の接続部２３およびインターホン通話用の押しボタン２４を有している。２５はメモリ部の画像データを消去するための消去スイッチである。台所リモコン２０にはテレビ受信機を内蔵してあり、テレビ画像は前記表示部２２で表示される。この表示部は液晶画面等で構成され、給湯器１０の制御状況も表示できる。
【００１１】
また、前記風呂リモコン３０には、給湯器１０を制御するための例えば給湯湯温スイッチ等の操作部３１、玄関子機４０のカメラ４２によって撮影された玄関画像を表示する表示部３２、インターホン通話用の押しボタン３３、玄関子機４０の電気配線コード６１を接続するための端子等の接続部３４を有している。この風呂リモコン３０にはテレビ受像機を内蔵してあり、テレビ画像は前記表示部３２で表示される。３５はＣＣＤカメラ等の画像撮影部である。さらに、給湯器１０には、玄関子機４０の電気配線コード６１を接続するための端子等の接続部１１、家庭用１００ボルトである外部電源導入用のプラグ等の電源端子１２を有している。各リモコン２０、３０に設けたテレビへの電源は前記電気配線コード５０、５１を介して給湯器１０のみから導入している。上記給湯器とリモコン間、リモコンと玄関子機間の伝送は低電圧直流の二芯電力線に給湯情報、音声・画像情報のデジタル信号を時分割して搬送している。なお玄関子機はもう１台増設してもよい。
【００１２】
本発明はこのような構成からなり、風呂を自動で沸かすには、台所リモコン２０の操作部２１で電源スイッチを入れるとともに、風呂温度設定スイッチ、湯量設定スイッチ等で予め任意の温度、湯量に設定した後、自動スイッチを押せば良く、これにより、図示しない電磁弁が開いて水が流れ、給湯器１０が動作してバーナが着火し、適温の湯が風呂給湯される。給湯温度等は表示部２２・３２で温度表示するようにしてもよい。
【００１３】
次に、台所及び風呂場においてテレビを設置する場合には、給湯器１０を屋外に設置した後、台所リモコン２０を給湯器１０と電気配線コード５０を介して接続し台所壁面に固定すると共にアンテナ７０と台所リモコン２０とをテレビ受信ケーブル７１により接続する。接続後は給湯器に導入された電源により電気配線コード５０を介して台所リモコン内のテレビ受信機に電気が供給され、台所においてテレビを観賞することができる。風呂リモコン３０も同様に電気配線コード５１を介して給湯器１０に接続し、かつテレビ受信ケーブル７２を介してアンテナ７０に接続すればよい。これら電気配線コードは電源の供給と、給湯器を遠隔制御するための給湯情報の伝送とを兼用させるために、二芯線の低電圧重畳方式としかつデジタル伝送方式としてある。テレビの電源には給湯器１０に供給されている電源を用いているため、別途にテレビ用の専用の電源をリモコン部に導入する必要はなくなる。
【００１４】
さらに、インターホン、テレビドアホンを使用するには、インターホンの玄関子機４０を門柱等に設置し固定した後、インターホンの親機としての機能を有する台所リモコン２０に電気配線コード６１により接続する。しかる後は給湯器１０の電源を使用して玄関と台所あるいは玄関と風呂との間でインターホン通話が可能となる。玄関子機のカメラ４２で撮影した画像は台所リモコン２０の表示部２２にて表示されると共に風呂リモコン３０の表示部３２においても表示される。今、留守中に訪問者があった場合においては、図２に示すように、訪問者が玄関子機４０の押しボタン４１を押すと（ステップ１）、画像撮影機であるカメラ４２が作動すると共に台所リモコン内に設けたＤＲＡＭ等の録画手段が作動して訪問者の画像データの録画が開始される（ステップ２）。この録画時間は訪問人物を確認するために必要な最小限の時間、例えば録画開始から１0秒程度であればよい。この一定時間が経過すれば（ステップ３）、省電力のためにカメラ４２撮影を停止すると共に画像データの録画も終了する（ステップ４）。次に、帰宅後において留守中の訪問者の確認を行うには、記録した録画データの再生を行えばよく、再生を行うには、台所リモコン２０の例えば運転スイッチ、給湯スイッチ等を操作すると（ステップ５）、画像データが呼び出されて再生され（ステップ６）、リモコンの表示部２２に表示される（ステップ７）。記録した画像データを消去するには、台所リモコン２０の消去スイッチ２５をＯＮすればよく（ステップ８）、画像データは消去される（ステップ９）。この結果、別途テレビドアホン用の親機を設ける必要がなくなり、設置場所の壁面の美観を悪くすることがなくなった。また、風呂リモコン３０においても表示部３２で訪問者の確認ができるので、来訪者の確認場所の拡大を図ることができる。
【００１５】
さらに、給湯器１０と、給湯器１０を台所から遠隔操作すると共にインターホン、テレビドアホンの親機となる台所リモコン２０と、前記給湯器１０を風呂場から遠隔操作する風呂リモコン３０とからなる給湯装置に対して、玄関子機４０を接続設置する場合において、風呂リモコン３０および台所リモコン２０および給湯器１０の三者に子機接続用の接続部３４、２３、１１を設けておけば、風呂リモコン３０および給湯器１０よりも台所リモコン２０の方が玄関子機４０に距離的に近いときは、台所リモコン２０の接続部２３に玄関子機４０を配線接続すればよく、逆に台所リモコン２０および給湯器１０よりも風呂リモコン３０の方が玄関子機４０に距離的に近いときは、風呂リモコン３０の接続部３４に玄関子機４０を配線接続すればよく、また給湯器１０が最も近いときは給湯器１０の接続部１１に配線接続すればよい。この結果、玄関子機４０と台所リモコン２０間の通話および玄関子機４０と風呂リモコン３０間の通話さらに両リモコン２０、３０間の通話は、給湯器１０の電源を使用して行うことが可能となり、玄関子機の電気配線コードを最も短く施工でき、しかも従来のような玄関子機に別途外部電源を供給する必要がなくなった。
【００１６】
なお、本実施に関連して、風呂リモコン３０に設けた画像撮影部３５により撮影された画像データにより浴室における人体検出を行い、動きのない状態が一定時間続いたときには、浴室の画像を台所リモコンの表示部に表示するようにして、浴室における監視機能を持たせるようにしてもよい。
【００１７】
【発明の効果】
本発明は以上の構成、作用からなり、請求項１に記載の画像撮影機能付給湯装置によれば、電気配線工事の省施工化を図ることができる。また、請求項２に記載の画像撮影機能付給湯装置によれば録画手段は玄関子機の操作後一定時間のみ作動するようにしたので、玄関画像の録画、再生時間を短縮して省電力化を図ることができる。また、請求項３に記載の画像撮影機能付給湯装置によれば、請求項１に記載のものに画像データの再生を台所リモコンで行うようにしたので、台所において給湯操作を行う都度に画像の再生が行え利便性の向上を図ることができる。
【図面の簡単な説明】
【図１】本発明を適用した画像撮影機能付給湯装置の全体構成図である。
【図２】本発明の一実施形態を示すフローチャートである。
【符号の説明】
１０            １０ 給湯器
２０           ２０ 台所リモコン
２２ 表示部
３０            ３０ 風呂リモコン
４０ 玄関子機
４２ 画像撮影機
7
【図１】
0003997652.tif 000002
【図２】
0003997652.tif 000003